(57)【要約】  【課題】  帽子枠の中心とその帽子枠支持部に被せた帽子の中心とを簡単に位置合わせし、その帽子を押え部材で帽子支持部に押える際に帽子がずれないようにし、帽子枠に帽子を位置決めしつつセットする作業を簡単且つ確実に行うことができる、帽子枠及び帽子枠セットフレームを提供する。  【解決手段】  帽子枠１は、帽子枠セットフレーム６に外嵌状に装着される環状の帽子枠本体２と、帽子枠本体２に一体的に設けられた枠状且つ湾曲状の帽子支持部３に帽子の縫製予定部の近傍を外側から押える枠状の押え部材４と、帽子枠本体２の帽子支持部３のうち帽子頂部側の端部の周方向中央部に設けられ、帽子支持部３に被せた帽子Ｃを介して手指にて確認可能な形状に形成された帽子中央基準部２０とを備えている。【選択図】  図２
2005273095.tif 000002
【特許請求の範囲】
【請求項１】
刺繍ミシンの送り機構に解除可能に連結され且つ縫製に供する帽子を保持する帽子枠であって、帽子を保持する作業を行う為に帽子枠セットフレームに着脱自在に装着される帽子枠において、
前記帽子枠セットフレームに外嵌状に装着される環状の帽子枠本体と、
前記帽子枠本体に一体的に設けられた枠状且つ湾曲状の帽子支持部に帽子の縫製予定部の近傍を外側から押える枠状の押え部材と、
前記帽子枠本体の帽子支持部のうち帽子頂部側の端部の周方向中央部に設けられ、帽子支持部に被せた帽子を介して手指にて確認可能な形状に形成された帽子中央基準部と、
を備えたことを特徴とする帽子枠。
【請求項２】
前記帽子中央基準部は、帽子枠本体の帽子支持部に帽子頂部側から切欠いて形成された切欠部からなることを特徴とする請求項１に記載の帽子枠。
【請求項３】
前記切欠部は、平面視にて帽子頂部側から帽子開口端側へ向かって尖ったＶ字形状に形成されたことを特徴とする請求項２に記載の帽子枠。
【請求項４】
前記帽子中央基準部は、上下方向に凹凸の凹部又は凸部に形成されたことを特徴とする請求項１に記載の帽子枠。
【請求項５】
刺繍ミシンの送り機構に解除可能に連結され且つ縫製に供する帽子を保持する帽子枠を、帽子を保持する作業を行う為に着脱自在に装着する帽子枠セットフレームにおいて、
所定の作業台に固定され前記帽子枠が外嵌状に装着される湾曲状のベースフレームと、
前記ベースフレームのうち帽子頂部側の端部の周方向中央部に設けられ、帽子枠の帽子支持部に被せた帽子を介して手指にて確認可能な形状に形成された帽子中央基準部と、
を備えたことを特徴とする帽子枠セットフレーム。
【請求項６】
前記帽子中央基準部は、ベースフレームに帽子頂部側から切欠いて形成された切欠部からなることを特徴とする請求項５に記載の帽子枠セットフレーム。
【請求項７】
前記切欠部は、平面視にて帽子頂部側から帽子開口端側へ向かって尖ったＶ字形状に形成されたことを特徴とする請求項６に記載の帽子枠セットフレーム。
【請求項８】
前記帽子中央基準部は、上下方向に凹凸の凹部又は凸部に形成されたことを特徴とする請求項５に記載の帽子枠セットフレーム。
【請求項９】
刺繍ミシンの送り機構に解除可能に連結され且つ縫製に供する帽子を保持する帽子枠であって、帽子を保持する作業を行う為に帽子枠セットフレームに着脱自在に装着される帽子枠において、
前記帽子枠セットフレームに外嵌状に装着される環状の帽子枠本体と、
前記帽子枠本体に一体的に設けられた枠状且つ湾曲状の帽子支持部に帽子の縫製予定部の近傍を外側から押える枠状の押え部材と、
前記帽子枠本体の帽子支持部のうち帽子頂部側の端部において、その周方向について中央部から両側へ所定長さ離間した位置に設けられ、帽子支持部に被せた帽子を介して手指にて確認可能な形状に形成された少なくとも１対の帽子位置決め用基準部と、
を備えたことを特徴とする帽子枠。
【請求項１０】
前記帽子位置決め用基準部は、帽子枠本体の帽子支持部に帽子頂部側から切欠いて形成された切欠部からなることを特徴とする請求項９に記載の帽子枠。
【請求項１１】
前記切欠部は、平面視にて帽子頂部側から帽子開口端側へ向かって尖ったＶ字形状に形成されたことを特徴とする請求項１０に記載の帽子枠。
【請求項１２】
前記帽子位置決め用基準部は、上下方向に凹凸の凹部又は凸部に形成されたことを特徴とする請求項９に記載の帽子枠。
【請求項１３】
刺繍ミシンの送り機構に解除可能に連結され且つ縫製に供する帽子を保持する帽子枠を、帽子を保持する作業を行う為に着脱自在に装着する帽子枠セットフレームにおいて、
所定の作業台に固定され前記帽子枠が外嵌状に装着される湾曲状のベースフレームと、
前記ベースフレームのうち帽子頂部側の端部において、その周方向について中央部から両側へ所定長さ離間した位置に設けられ、帽子枠の帽子支持部に被せた帽子を介して手指にて確認可能な形状に形成された少なくとも１対の帽子位置決め用基準部と、
を備えたことを特徴とする帽子枠セットフレーム。
【請求項１４】
前記帽子位置決め用基準部は、ベースフレームに帽子頂部側から切欠いて形成された切欠部からなることを特徴とする請求項１３に記載の帽子枠セットフレーム。
【請求項１５】
前記切欠部は、平面視にて帽子頂部側から帽子開口端側へ向かって尖ったＶ字形状に形成されたことを特徴とする請求項１４に記載の帽子枠セットフレーム。
【請求項１６】
前記帽子位置決め用基準部は、上下方向に凹凸の凹部又は凸部に形成されたことを特徴とする請求項１３に記載の帽子枠セットフレーム。
【発明の詳細な説明】
【技術分野】
【０００１】
本発明は、縫製に供する帽子を保持する帽子枠、帽子を保持する作業を行う為に帽子枠を着脱自在に装着する帽子枠セットフレームに関するものである。
【背景技術】
【０００２】
従来、帽子の前面部や側面部に刺繍を施す場合、帽子を帽子枠にセットし、その帽子枠を刺繍ミシンの枠駆動機構に連結した回動フレームに装着し、この状態で、刺繍ミシンを作動させることにより帽子に刺繍縫製が行われる。帽子枠に帽子をセットする場合、一般には、作業台に固定した帽子枠セットフレームが用いられ、その帽子枠セットフレームに帽子枠を装着してから、その帽子枠に帽子を保持する作業を行う。
【０００３】
帽子枠は、前記回動フレームに外嵌状に装着される環状の帽子枠本体と、この帽子枠本体に一体的に設けられた湾曲状の帽子支持部に帽子の縫製予定部の近傍を外側から押える押え部材と、帽子枠本体に連結され帽子の鍔を支持する鍔支持体が設けられている（例えば、特許文献１参照）。ここで、帽子支持部及び押え部材について、所謂ノンフレーム型の帽子枠では、帽子の縫製予定部の鍔側部分を挟持する一片状に形成され、所謂フレーム型の帽子枠では、帽子の縫製予定部を囲む部分を挟持する枠状に形成されている。
【０００４】
帽子枠セットフレームは、湾曲状のベースフレームを有し、そのベースフレームに帽子枠の帽子枠本体が外嵌状に装着される（例えば、特許文献１参照）。ベースフレームの長さは比較的長く、特に、ノンフレーム型の帽子枠に帽子をセットする場合、その帽子枠をベースフレームに装着した状態で、ベースフレームは帽子支持部よりも帽子頂部側に大きく張出し、その張出し部分で帽子枠にセットする帽子を内側から受け止めることができるので、帽子枠に帽子を保持する作業が行い易くなる。
【０００５】
ところで、帽子に形成する刺繍模様の位置精度を高めたい場合、帽子枠にセットする帽子の位置決め精度を高める必要がある。従来、帽子枠に帽子を位置決めする場合、帽子枠の中心と帽子の中心とを合わせることにより行われている。そのため、帽子枠に中心線が印されており、その中心線に帽子の中心（多くは、帽子の中心縫目）を合わせるように、帽子枠に帽子を位置決めしつつセットできるようにしてある。
【０００６】
【特許文献１】特開平１−２００２２４号公報
【発明の開示】
【発明が解決しようとする課題】
【０００７】
従来、帽子枠に帽子を位置決めするために、帽子枠の帽子枠本体に中心線を印した場合、帽子枠本体に帽子を被せると、その中心線が帽子で隠れて見えなくなるため、帽子枠の中心と帽子の中心とを位置合わせすることが難しく、更に、帽子枠本体に被せた帽子を押え部材で帽子支持部に押える際に、帽子がずれ易いので、帽子枠に帽子を位置決めしつつセットする作業を簡単且つ確実に行うことは難しい。
【０００８】
そこで、帽子枠本体に帽子を被せても隠れない部位となる鍔支持体の先端部等に中心線を印したものも存在するが、その中心線を目視するだけでは、帽子枠の中心と帽子の中心とを位置合わせすることは難しく、帽子を押え部材で帽子支持部に押える際に帽子がずれることも防止できないので、上記課題を改善することはできない。尚、帽子枠の押え部材の表面に中心線を印すことも考えられるが、普通、帽子の布厚や押え部材で帽子を押える力によって、前記中心線と帽子枠の中心が一致しないため有効ではない。
【０００９】
本発明の目的は、帽子枠の中心とその帽子枠支持部に被せた帽子の中心とを簡単に位置合わせし、その帽子を押え部材で帽子支持部に押える際に帽子がずれないようにし、帽子枠に帽子を位置決めしつつセットする作業を簡単且つ確実に行うことができる、帽子枠及び帽子枠セットフレームを提供することである。
【課題を解決するための手段】
【００１０】
請求項１の帽子枠は、刺繍ミシンの送り機構に解除可能に連結され且つ縫製に供する帽子を保持する帽子枠であって、帽子を保持する作業を行う為に帽子枠セットフレームに着脱自在に装着される帽子枠において、前記帽子枠セットフレームに外嵌状に装着される環状の帽子枠本体と、前記帽子枠本体に一体的に設けられた枠状且つ湾曲状の帽子支持部に帽子の縫製予定部の近傍を外側から押える枠状の押え部材と、前記帽子枠本体の帽子支持部のうち帽子頂部側の端部の周方向中央部に設けられ、帽子支持部に被せた帽子を介して手指にて確認可能な形状に形成された帽子中央基準部とを備えたことを特徴とする。
【００１１】
帽子枠に帽子をセットする場合、所定の作業台に固定した帽子枠セットフレームに帽子枠の帽子枠本体を外嵌状に装着する。この状態で、帽子枠本体に一体的に設けられた帽子支持部に帽子を被せて、帽子支持部のうち帽子頂部側の端部の周方向中央部に設けられた帽子中央基準部を帽子を介して手指にて確認し、帽子の頂部側部分の周方向中央部を帽子中央基準部に押えて、帽子枠の中心と帽子の中心とを位置合わせし、帽子を押え部材で帽子支持部に押えて保持することができる。押え部材で帽子を帽子支持部に押えるときも、手指にて帽子を帽子中央基準部に押えた状態で行うことができるため、帽子が位置ずれすることを防いで、帽子枠の中心と帽子の中心とを一致させた状態で、帽子枠に帽子を装着し保持することができる。
【００１２】
ここで、前記帽子中央基準部の代わりに、帽子枠本体の帽子支持部のうち帽子頂部側の端部において、その周方向について中央部から両側へ所定長さ離間した位置に設けられ、帽子支持部に被せた帽子を介して手指にて確認可能な形状に形成された少なくとも１対の帽子位置決め用基準部を備えてもよい（請求項９）。
【００１３】
請求項１又は９の帽子枠については、次のように構成してもよい。
前記帽子中央基準部、帽子位置決め用基準部は、帽子枠本体の帽子支持部に帽子頂部側から切欠いて形成された切欠部からなる（請求項２又は１０）。前記切欠部は、平面視にて帽子頂部側から帽子開口端側へ向かって尖ったＶ字形状に形成される（請求項３又は１１）。前記帽子中央基準部、帽子位置決め用基準部は、上下方向に凹凸の凹部又は凸部に形成される（請求項４又は１２）。
【００１４】
請求項５の帽子枠セットフレームは、刺繍ミシンの送り機構に解除可能に連結され且つ縫製に供する帽子を保持する帽子枠を、帽子を保持する作業を行う為に着脱自在に装着する帽子枠セットフレームにおいて、所定の作業台に固定され前記帽子枠が外嵌状に装着される湾曲状のベースフレームと、前記ベースフレームのうち帽子頂部側の端部の周方向中央部に設けられ、帽子枠の帽子支持部に被せた帽子を介して手指にて確認可能な形状に形成された帽子中央基準部とを備えたことを特徴とする。
【００１５】
帽子枠に帽子をセットする場合、所定の作業台に固定した帽子枠セットフレームのベースフレームに帽子枠を外嵌状に装着する。この状態で、帽子枠の帽子支持部に帽子を被せ、次に、ベースフレームのうち帽子頂部側の端部の周方向中央部に設けられた帽子中央基準部を帽子を介して手指にて確認し、帽子の頂部側部分の周方向中央部を帽子中央基準部に押えて、帽子枠の中心と帽子の中心とを位置合わせし、帽子を押え部材で帽子支持部に押えて保持することができる。押え部材で帽子を帽子支持部に押えるときも、手指にて帽子を帽子中央基準部に押えた状態で行うことができるため、帽子が位置ずれすることを防いで、帽子枠の中心と帽子の中心とを一致させた状態で、帽子枠に帽子を装着し保持することができる。
【００１６】
ここで、前記帽子中央基準部の代わりに、ベースフレームのうち帽子頂部側の端部において、その周方向について中央部から両側へ所定長さ離間した位置に設けられ、帽子枠本体の帽子支持部に被せた帽子を介して手指にて確認可能な形状に形成された少なくとも１対の帽子位置決め用基準部を備えてもよい（請求項１３）。
【００１７】
請求項５又は１３の帽子枠については、次のように構成してもよい。
前記帽子中央基準部、帽子位置決め用基準部は、ベースフレームに帽子頂部側から切欠いて形成された切欠部からなる（請求項６又は１４）。前記切欠部は、平面視にて帽子頂
部側から帽子開口端側へ向かって尖ったＶ字形状に形成される（請求項７又は１５）。前記帽子中央基準部、帽子位置決め用基準部は、上下方向に凹凸の凹部又は凸部に形成される（請求項８又は１６）。
【発明の効果】
【００１８】
請求項１の帽子枠によれば、帽子枠本体の帽子支持部のうち帽子頂部側の端部の周方向中央部に帽子中央基準部を設けたことにより、帽子枠セットフレームに帽子枠を装着した状態で、帽子枠の帽子中央基準部を帽子支持部に被せた帽子を介して手指にて感触を得て確認できる。つまり、手指による感触によりその帽子中央基準部に帽子の中心を合わせて、帽子を押え部材で帽子支持部に押えて保持することができる。更に、押え部材で帽子を帽子支持部に押えるときも、手指にて帽子を帽子中央基準部に押えた状態で行うことができるため、帽子が位置ずれすることを防止できる。従って、帽子枠に帽子を位置決めしつつセットする作業を簡単且つ確実に行うことができ、帽子枠にセットする帽子の位置決め精度を高めることができるため、帽子に形成する刺繍模様の位置精度を高めることができる。
【００１９】
請求項２の帽子枠によれば、帽子中央基準部は、帽子枠本体の帽子支持部に帽子頂部側から切欠いて形成された切欠部からなるので、その切欠部に手指にて帽子の頂部側部分を押し入れて、切欠部を帽子を介して手指にて確実に確認することができ、しかも、押え部材で帽子を帽子支持部に押える際、切欠部に押し入れた帽子の頂部側部分を手指にて押えておくことにより、帽子がずれるのを確実に防止することができる。
【００２０】
請求項３の帽子枠によれば、切欠部を、平面視にて帽子頂部側から帽子開口端側へ向かって尖ったＶ字形状に形成したので、帽子の頂部側部分を手指にて切欠部に確実に押し入れて位置決めすることができる。
請求項４の帽子枠によれば、帽子中央基準部を、上下方向に凹凸の凹部又は凸部に形成したので、帽子枠の帽子支持部に帽子中央基準部を簡単に形成することができる。
【００２１】
請求項５の帽子枠セットフレームによれば、ベースフレームのうち帽子頂部側の端部の周方向中央部に帽子中央基準部を設けたことにより、帽子枠に特別な細工を施すことなく、帽子枠セットフレームに帽子枠を装着した状態で、帽子枠セットフレームの帽子中央基準部を帽子枠の帽子支持部に被せた帽子を介して手指にて感触を得て確認できる。その他請求項１と同様の効果を奏する。請求項６〜８の帽子枠セットフレームによれば、基本的に、請求項２〜４と同様の効果を奏する。
【００２２】
請求項９の帽子枠によれば、帽子枠本体の帽子支持部のうち帽子頂部側の端部において、その周方向について中央部から両側へ所定長さ離間した位置に少なくとも１対の帽子位置決め用基準部を設けたことにより、帽子枠セットフレームに帽子枠を装着した状態で、帽子枠の少なくとも１対の帽子位置決め用基準部を帽子支持部に被せた帽子を介して手指にて感触を得て確認できる。つまり、手指による感触によりその帽子位置決め用基準部に帽子の基準位置を合わせて、帽子枠と中心と帽子の中心とを合わせ、帽子を押え部材で帽子支持部に押えて保持することができる。更に、押え部材で帽子を帽子支持部に押えるときも、手指にて帽子を帽子位置決め用基準部に押えた状態で行うことができるため、帽子が位置ずれすることを防止できる。従って、帽子枠に帽子を位置決めしつつセットする作業を簡単且つ確実に行うことができ、帽子枠にセットする帽子の位置決め精度を高めることができるため、帽子に形成する刺繍模様の位置精度を高めることができる。請求項１０〜１２の帽子枠によれば、請求項２〜４において帽子中央基準部を帽子位置決め用基準部として、同様の効果を奏する。
【００２３】
請求項１３の帽子枠セットフレームによれば、ベースフレームのうち帽子頂部側の端部において、その周方向について中央部から両側へ所定長さ離間した位置に少なくとも１対の帽子位置決め用基準部を設けたことにより、帽子枠セットフレームに帽子枠を装着した状態で、帽子枠セットフレームの少なくとも１対の帽子位置決め用基準部を帽子枠の帽子支持部に被せた帽子を介して手指にて感触を得て確認できる。その他請求項９と同様の効果を奏する。請求項１４〜１６の帽子枠セットフレームによれば、基本的に、請求項１０〜１２と同様の効果を奏する。
【発明を実施するための最良の形態】
【００２４】
本発明の実施形態に係る帽子枠は、刺繍ミシンの送り機構に解除可能に連結され且つ縫製に供する帽子を保持する帽子枠であって、帽子を保持する作業を行う為に帽子枠セットフレームに着脱自在に装着される帽子枠である。この帽子枠は、帽子枠セットフレームに外嵌状に装着される環状の帽子枠本体、帽子枠本体に一体的に設けられた枠状且つ湾曲状の帽子支持部に帽子の縫製予定部の近傍を外側から押える枠状の押え部材、帽子枠本体の帽子支持部のうち帽子頂部側の端部の周方向中央部に設けられ、帽子支持部に被せた帽子を介して手指にて確認可能な形状に形成された帽子中央基準部、又は、帽子枠本体の帽子支持部のうち帽子頂部側の端部において、その周方向について中央部から両側へ所定長さ離間した位置に設けられ、帽子支持部に被せた帽子を介して手指にて確認可能な形状に形成された少なくとも１対の帽子位置決め用基準部を備えたものである。
【００２５】
また、本発明の実施形態に係る帽子枠セットフレームは、刺繍ミシンの送り機構に解除可能に連結され且つ縫製に供する帽子を保持する帽子枠を、帽子を保持する作業を行う為に着脱自在に装着する帽子枠セットフレームである。この帽子枠セットフレームは、所定の作業台に固定され前記帽子枠が外嵌状に装着される湾曲状のベースフレームと、ベースフレームのうち帽子頂部側の端部の周方向中央部に設けられ、帽子枠の帽子支持部に被せた帽子を介して手指にて確認可能な形状に形成された帽子中央基準部、又は、ベースフレームのうち帽子頂部側の端部において、その周方向について中央部から両側へ所定長さ離間した位置に設けられ、帽子枠の帽子支持部に被せた帽子を介して手指にて確認可能な形状に形成された少なくとも１対の帽子位置決め用基準部を備えたものである。
【実施例１】
【００２６】
実施例１は、帽子枠に本発明を適用した場合の例である。尚、図１の矢印ａの方向を前方とし矢印ｂの方向を上方として説明する。
図１〜図４に示すように、帽子枠１は、刺繍ミシンの送り機構に連結された回動フレームに解除可能に連結され且つ縫製に供する帽子Ｃを保持するものであって、帽子Ｃを保持する作業を行う為に帽子枠セットフレーム６に着脱自在に装着されるものである。
前記回動フレームが、刺繍ミシンの送り機構である左右駆動機構と前後駆動機構に連結され、前後駆動機構により前後方向へ移動され、左右駆動機構により回動フレームに設けられた回動機構を介して前後方向向きの軸心回りに回動される。
【００２７】
帽子枠１は、帽子枠セットフレーム６のベースフレーム７に外嵌状に装着される環状（正面視にて半円弧状）の帽子枠本体２と、帽子枠本体２に一体的に設けられた枠状且つ湾曲状の帽子支持部３に帽子Ｃの縫製予定部の近傍（周囲）を外側から押える可撓性のある枠状の押え部材４と、帽子枠本体２に固定的に設けられ帽子Ｃの鍔Ｃａを支持する鍔支持体５とを有する、所謂フレーム型の帽子枠である。
【００２８】
帽子枠本体２は、取付け枠部１０と、取付け枠部１０に設けられた鍔状部１１とを有し、この取付け枠部１０の略上半部から前方へ張り出すように帽子支持部３が設けられ、鍔支持体５は、その下端部が鍔状部１１の中央上端部分に固定されて、後方斜め上側に傾斜状に立ち上がるように設けられている。取付け枠部１０には２つの係合穴１２が形成され、これら係合穴１２に、前記回動フレームに設けた２つの係合ローラが係合され、また、帽子枠セットフレーム６に設けた２つの係合ローラ８（図４参照）が係合される。
【００２９】
鍔支持体５の基端部の前面には、帽子Ｃの鍔Ｃａの基端部の内面中央部を後方から受け止める鍔受部材１３が固着されている。鍔支持体５には、帽子Ｃの鍔Ｃａを固定解除可能に固定する鍔固定機構１４が設けられている。鍔固定機構１４は、本願出願人が出願した特願２００３−３０５８７４号に開示した機構と同じであり、詳細な説明は省略する。
【００３０】
ここで、鍔固定機構１４の固定状態及び固定解除状態において、鍔支持体５の上端部分は外部へ露出した状態となり、その上面に帽子中央基準線５ａが印されており、また、鍔受部材１３の上面にも帽子中央基準線１３ａが印されている。尚、帽子中央基準線５ａ，１３ａは、例えば、鍔支持体５と鍔受部材１３に刻印された線であり、更に、赤等の色で着色して明瞭に構成されたものである。
【００３１】
押え部材４は、枠状且つ湾曲状の帽子支持部３に対して開閉可能に、且つ、帽子Ｃを押えるために閉じた状態で解除可能に固定されるようになっている。そのため、帽子枠本体２の左下端部に前方向きのロッド１５が装着されて前方へ延び、そのロッド１５に押え部材４の左端部が回動可能に枢支されている。また、帽子枠本体２の右下端部に爪部材１６が装着され、押え部材４の右端部に爪部材１６に係合・係合解除可能なフック部材１７が装着されている。
【００３２】
さて、図１〜図５に示すように、この帽子枠１には、帽子枠本体２の帽子支持部３のうち帽子頂部側（前側）の端部の周方向中央部（左右方向中央部）に、帽子支持部３に被せた帽子Ｃを介して手指にて確認可能な形状に形成された帽子中央基準部２０が設けられている。この帽子中央基準部２０は、帽子枠本体２の帽子支持部３に帽子頂部側から切欠いて形成された切欠部２１からなり、この切欠部２１は、平面視にて帽子頂部側から帽子開口端側（後側）へ向かって尖ったＶ字形状に形成されている。
【００３３】
この切欠部２１は、例えば、一般的な人の人指し指の先端部が、帽子Ｃの布を介して後側から挿入できるように、左右の切欠き幅が約１２mm、前後の切欠き長さが約９mm、後端部の切欠き角度が約６５度に形成されている。また、左右の切欠き幅は、一般的な帽子Ｃの前面の周方向中央部ＣＣの近傍且つ両側に形成される中央縫目ＣＳの幅よりも大きな幅に形成されている。それ故、その中央縫目ＣＳの略全幅部分を切欠部２１に入れ込み位置決めし易くなる。
【００３４】
帽子枠１の作用・効果について説明する。
帽子枠１に帽子Ｃをセットする場合、所定の作業台９に固定した帽子枠セットフレーム６のベースフレーム７に帽子枠１の帽子枠本体２を外嵌状に装着する。次に、帽子枠本体２の帽子支持部３に対して押え部材４を開けた状態で、帽子支持部３に帽子Ｃを被せるが、その際、帽子中央基準線５ａ，１３ａ，帽子中央基準部２０を目視して、帽子枠１の中心と帽子Ｃの中心とを合わせるように行うことができる。しかし、帽子支持部３に帽子Ｃを被せると、帽子中央基準線１３ａ、帽子中央基準部２０は帽子Ｃで隠れて見えなくなるため、帽子枠１の中心と帽子Ｃの中心とを確実に位置合わせすることはできない。
【００３５】
そこで、帽子支持部３に帽子Ｃを被せて、帽子支持部３のうち帽子頂部側の端部の周方向中央部に設けられた帽子中央基準部２０を帽子Ｃを介して手指にて確認できるため、目視により帽子Ｃの鍔Ｃａの中心を外部へ露出した帽子中央基準線５ａに合わせて位置決めしつつ、手指にて帽子Ｃの頂部側部分の周方向中央部ＣＣを帽子中央基準部２０に押えて、帽子枠１の中心と帽子Ｃの中心とを確実に位置合わせすることができる。そして、手指にて帽子Ｃの頂部側部分の周方向中央部ＣＣを帽子中央基準部２０に押えた状態で、帽子Ｃに押え部材４を被せ、その押え部材４で帽子Ｃを帽子支持部３に押えて保持できる。
【００３６】
この帽子枠１によれば、帽子枠本体２の帽子支持部３のうち帽子頂部側の端部の周方向中央部に帽子中央基準部２０を設けたことにより、帽子枠セットフレーム６に帽子枠１を装着した状態で、帽子枠１の帽子中央基準部２０を帽子支持部３に被せた帽子Ｃを介して手指にて感触を得て確認できる。つまり、手指による感触によりその帽子中央基準部２０に帽子Ｃの中心を合わせて、帽子Ｃを押え部材４で帽子支持部３に押えて保持することができる。その際、帽子Ｃが位置ずれしないように、手指にて帽子を帽子中央基準部２０に押えて行うことができる。更に、押え部材４で帽子Ｃを帽子支持部３に押えるときも、手指にて帽子Ｃを帽子中央基準部２０に押えた状態で行うことができるため、帽子Ｃが位置ずれすることを防止できる。従って、帽子枠１に帽子Ｃを位置決めしつつセットする作業を簡単且つ確実に行うことができ、帽子枠１にセットする帽子Ｃの位置決め精度を高めることができるため、帽子Ｃに形成する刺繍模様の位置精度を高めることができる。
【００３７】
また、帽子中央基準部２０は、帽子支持部３に帽子頂部側から切欠いて形成された切欠部２１からなるので、その切欠部２１に手指にて帽子Ｃの頂部側部分を押し入れて、切欠部２１を帽子Ｃを介して手指にて確実に確認することができ、しかも、押え部材４で帽子Ｃを帽子支持部３に押える際、切欠部２１に押し入れた帽子Ｃの頂部側部分を手指にて押えておくことにより、帽子Ｃがずれるのを確実に防止することができ、更に、この切欠部２１を、平面視にて帽子頂部側から帽子開口端側へ向かって尖ったＶ字形状に形成したので、帽子Ｃの頂部側部分を手指にて切欠部２１に確実に押し入れて位置決めできる。
【実施例２】
【００３８】
実施例２は、帽子枠に本発明を適用した場合の例である。
実施例２の刺繍枠１Ａは、実施例１の帽子枠１において、帽子中央基準部２０の代わりに１対の帽子位置決め用基準部２０Ａを設けたものであり、その他の構成は実施例１の帽子枠１と同じであるので同一符号を付して説明を省略する。
【００３９】
図６、図７に示すように、帽子枠１Ａには、帽子枠本体２の帽子支持部３のうち帽子頂部側（前側）の端部において、その周方向について中央部３Ｃから両側へ等しい所定長さＬ離間した位置（平面視にて左右対称位置）に、帽子支持部３に被せた帽子Ｃを介して手指にて確認可能な形状に形成された１対の帽子位置決め用基準部２０Ａが設けられている。各帽子位置決め用基準部２０Ａは、実施例１の帽子中央基準部２０と同様の切欠部２１からなる。
【００４０】
この帽子枠１Ａによれば、帽子枠本体２の帽子支持部３のうち帽子頂部側の端部において、その周方向について中央部３Ｃから両側へ所定長さＬ離間した位置に１対の帽子位置決め用基準部２０Ａを設けたことにより、手指による感触によりそれら帽子位置決め用基準部２０Ａに、帽子Ｃの中心から周方向両側へ等しい距離はなれた部位を合わせて、帽子枠１Ａの中心と帽子Ｃの中心とを位置合わせすることができる。例えば、１対の帽子位置決め用基準部２０Ａの位置（所定長さＬ）が、帽子Ｃの対称となる縫目ＣＳＬ及びＣＳＲに合う位置となるように設定することにより、それら帽子Ｃの縫目ＣＳＬ及びＣＳＲと１対の帽子位置決め用基準部２０Ａとを位置合わせすることより、帽子枠１Ａの中心と帽子Ｃの中心とを確実に位置合わせすることができる。その他、実施例１の帽子枠１と同様の作用・効果を奏する。
【実施例３】
【００４１】
実施例３は、帽子枠セットフレームに本発明を適用した場合の例である。尚、図８の矢印ａの方向を前方とし矢印ｂの方向を上方として説明する。
図８〜図１１に示すように、帽子枠セットフレーム３０は、刺繍ミシンの送り機構に解除可能に連結され且つ縫製に供する帽子を保持する帽子枠６０を、帽子Ｃを保持する作業を行う為に着脱自在に装着するものである。
この帽子枠セットフレーム３０は、作業台９に固定され帽子枠６０の帽子枠本体６１が外嵌状に装着される湾曲状のベースフレーム３１と、ベースフレーム３１のうち帽子頂部側（前側）の端部の周方向中央部に設けられ、帽子枠本体６１の帽子支持部６２に被せた帽子Ｃを介して手指にて確認可能な形状に形成された帽子中央基準部５０を備えている。
【００４２】
ベースフレーム３１は、部分円筒状の本体フレーム３２及び枠支持フレーム３３及び可動枠支持フレーム３４を有し、本体フレーム３２に枠支持フレーム３３が固定されて前方へ延び、枠支持フレーム３３に可動枠支持フレーム３４が前後にスライド自在に長さ調節可能に連結され、可動枠支持フレーム３４の前端部に帽子中央基準部５０が形成されている。本体フレーム３２には、この帽子枠セットフレーム３０に装着される帽子枠６０の後端部を受け止め可能な鍔状部３５と、帽子枠セットフレーム３０に装着された帽子枠６０の２つの係合穴７２に係合する２つの係合ローラ３６が設けられている。
【００４３】
ベースフレーム３１の本体フレーム３２が固定機構４０により作業台９に固定され、その固定機構４０は、本体フレーム３２の後面に固定され後側から作業台９を挿入可能なコ字形部材４１と、このコ字形部材４１に下側から螺合され挿通するネジ部材４２と、ネジ部材４２の上端部に連結されコ字形部材４１の上板部との間に作業台９を挟んで締め付ける為の締付部材４３と、ネジ部材４２の下端部に連結されてネジ部材４２を回動させる為の操作部材４４とを有する。
【００４４】
さて、帽子中央基準部５０は、ベースフレーム３１に帽子頂部側（前側）から切欠いて形成された切欠部５１からなり、この切欠部５１は、平面視にて帽子頂部側から帽子開口端側（後側）へ向かって尖ったＶ字形状に形成されている。この切欠部５１は、例えば、一般的な人の人指し指の先端部が、帽子Ｃの布を介して後側から挿入できるように、左右の切欠き幅が約１２mm、前後の切欠き長さが約９mm、後端部の切欠き角度が約６５度に形成されている。また、左右の切欠き幅は、一般的な帽子Ｃの前面の中央部ＣＣの近傍且つ両側に形成される中央縫目ＣＳの幅よりも大きな幅に形成されている。
【００４５】
ここで、図１１〜図１３に示すように、帽子枠６０は、帽子枠セットフレーム３０のベースフレーム３１に外嵌状に装着される環状（平面視にて半円弧状）の帽子枠本体６１と、帽子枠本体６１に一体的に設けられた湾曲状の帽子支持部６２に帽子Ｃの縫製予定部の近傍（前側）を外側から押える可撓性のある押え部材６３と、帽子枠本体６１に固定的に設けられ帽子Ｃの鍔Ｃａを支持する鍔支持体６４とを有する、所謂ノンフレーム型の帽子枠である。
【００４６】
帽子枠本体６１は、取付け枠部７０と、取付け枠部７０に設けられた鍔状部７１とを有し、この取付け枠部７０の略上半部から少し前方へ張り出すように帽子支持部６２が設けられ、鍔支持体６４は、その下端部が鍔状部７１の中央上端部分に固定されて、後方斜め上側に傾斜状に立ち上がるように設けられている。取付け枠部７０に２つの係合穴７２が形成されている。鍔支持体６４の基端部の前面には、帽子Ｃの鍔Ｃａの基端部の内面中央部を後方から受け止める鍔受部材６５が固着されている。
【００４７】
鍔支持体６４には、帽子Ｃの鍔Ｃａを固定解除可能に固定する、実施例１と同様の鍔固定機構１４が設けられている。そして、鍔固定機構１４の固定状態及び固定解除状態において、鍔支持体６４の上端部分は外部へ露出した状態となり、その上面に帽子中央基準線６４ａが印されており、また、鍔受部材６５の上面にも帽子中央基準線６５ａが印されている。尚、帽子中央基準線６４ａ，６５ａは、例えば、鍔支持体６４と鍔受部材６５に刻印された線であり、更に、赤等の色で着色して明瞭に構成されたものである。
【００４８】
押え部材６３は、鍔状部７１と帽子支持部６２の前端部との間に納まる前後幅を有し、帽子Ｃの鍔Ｃａを裏側から表側へ通す開口６３ａが形成され、湾曲状の帽子支持部６２に対して開閉可能に、且つ、帽子Ｃを押えるために閉じた状態で解除可能に固定されるようになっている。そのため、押え部材６３の左下端部が枢支軸６５により帽子枠本体６１に枢支され、押え部材６３の右下端部にフック部材が装着され、帽子枠本体６１に装着された爪部材に係合・係合解除可能になっている。また、帽子枠本体６１の左右両端部には、内面に１対バー６６が固定されて前方へ延び、この帽子枠６０に装着される帽子Ｃの縫製予定部の周方向両側部分を、これらバー６６にクリップ６７で留めるようにしている。
【００４９】
帽子枠セットフレーム３０の作用・効果について説明する。
帽子枠６０に帽子Ｃをセットする場合、所定の作業台９に固定した帽子枠セットフレーム３０のベースフレーム３１に帽子枠６０の帽子枠本体６１を外嵌状に装着する。次に、帽子枠本体６１の帽子支持部６２に対して押え部材６３を開けた状態で、帽子支持部６２に帽子Ｃを被せる。その際、帽子中央基準線６４ａ，６５ａ，帽子中央基準部５０を目視して、帽子枠６０の中心と帽子Ｃの中心とを合わせるように行うことができる。
【００５０】
帽子支持部６２に帽子Ｃを被せて、帽子枠セットフレーム３０のベースフレーム３１のうち帽子頂部側の端部の周方向中央部に設けられた帽子中央基準部５０を帽子Ｃを介して手指にて確認できるため、目視にて帽子Ｃの鍔Ｃａの中心を外部へ露出した帽子中央基準線６４ａに合わせて位置決めしつつ、手指にて帽子Ｃの頂部側部分の周方向中央部ＣＣを帽子中央基準部５０に押えて、帽子枠６０の中心と帽子Ｃの中心とを確実に位置合わせすることが可能になる。そして、手指にて帽子Ｃの頂部側部分の周方向中央部ＣＣを帽子中央基準部５０に押えた状態で、帽子Ｃに押え部材６３を被せ、その押え部材６３で帽子Ｃを帽子支持部６２に押えて保持することができる。
【００５１】
この帽子枠セットフレーム３０によれば、ベースフレーム３１のうち帽子頂部側の端部の周方向中央部に帽子中央基準部５０を設けたことにより、帽子枠６０に何ら細工を施すことなく、帽子枠セットフレーム３０に帽子枠６０を装着した状態で、帽子枠セットフレーム３０の帽子中央基準部５０を帽子枠６０の帽子支持部６２に被せた帽子Ｃを介して手指にて感触を得て確認できる。つまり、手指による感触によりその帽子中央基準部５０に帽子Ｃの中心を合わせて、帽子Ｃを押え部材６３で帽子支持部６２に押えて保持できる。更に、押え部材６３で帽子Ｃを帽子支持部６２に押えるときも、手指にて帽子を帽子中央基準部５０に押えた状態で行うことができるため、帽子Ｃが位置ずれすることを防止できる。従って、帽子枠６０に帽子Ｃを位置決めしつつセットする作業を簡単且つ確実に行うことができ、帽子枠６０にセットする帽子Ｃの位置決め精度を高めることができるため、帽子Ｃに形成する刺繍模様の位置精度を高めることができる。
【００５２】
また、帽子中央基準部５０は、ベースフレーム３１に帽子頂部側から切欠いて形成された切欠部５１からなるので、その切欠部５１に手指にて帽子Ｃの頂部側部分を押し入れて、切欠部５１を帽子Ｃを介して手指にて確実に確認でき、しかも、押え部材６３で帽子Ｃを帽子支持部６２に押える際、切欠部５１に押し入れた帽子Ｃの頂部側部分を手指にて押えておくことにより、帽子Ｃがずれるのを確実に防止することができ、更に、この切欠部５１を、平面視にて帽子頂部側から帽子開口端側へ向かって尖ったＶ字形状に形成したので、帽子Ｃの頂部側部分を手指にて切欠部５１に確実に押し入れて位置決めできる。
【実施例４】
【００５３】
実施例４は、帽子枠セットフレームに本発明を適用した場合の例である。
実施例４の刺繍枠セットフレーム３０Ａは、実施例３の帽子枠セットフレーム３０において、帽子中央基準部５０の代わりに１対の帽子位置決め用基準部５０Ａを設けたものであり、その他の構成は実施例３の帽子枠セットフレーム３０と同じであるので同一符号を付して説明を省略する。
【００５４】
図１４に示すように、帽子枠セットフレーム３０Ａには、ベースフレーム３１のうち帽子頂部側（前側）の端部において、その周方向について中央部３０Ｃから両側へ等しい所定長さＬ２離間した位置（平面視にて左右対称位置）に、帽子枠６０の帽子支持部６２に被せた帽子Ｃを介して手指にて確認可能な形状に形成された１対の帽子位置決め用基準部５０Ａが設けられている。各帽子位置決め用基準部５０Ａは、実施例３の帽子中央基準部５０と同様の切欠部５１からなる。
【００５５】
この帽子枠セットフレーム３０Ａによれば、ベースフレーム３１のうち帽子頂部側の端部において、その周方向について中央部３０Ｃから両側へ所定長さＬ２離間した位置に１対の帽子位置決め用基準部５０Ａを設けたことにより、手指による感触によりそれら帽子位置決め用基準部５０Ａに、帽子Ｃの中心から周方向両側へ等しい距離はなれた部位を合わせて、帽子枠６０の中心と帽子Ｃの中心とを位置合わせすることができる。例えば、１対の帽子位置決め用基準部５０Ａの位置（所定長さＬ２）が、帽子Ｃの左右対称となる縫目ＣＳＬ及びＣＳＲに合う位置となるように設定することにより、それら帽子Ｃの縫目ＣＳＬ及びＣＳＲと１対の帽子位置決め用基準部５０Ａとを位置合わせすることより、帽子枠１Ａの中心と帽子Ｃの中心とを確実に位置合わせすることができる。その他、実施例３の帽子枠セットフレーム３０と同様の作用・効果を奏する。
【００５６】
次に、実施例１、２の帽子枠１，１Ａ、実施例３、４の帽子枠セットフレーム３０，３０Ａを部分的に変更した変更形態について説明する。
１］帽子中央基準部２０，５０、帽子位置決め用基準部２０Ａ，５０Ａを、平面視にて帽子頂部側から凹形状や部分円形状等の種々の形状の切欠部に構成してもよい。
２］帽子中央基準部２０，５０、帽子位置決め用基準部２０Ａ，５０Ａを、上方向に突出する凸部、或いは、下方向に窪む凹部に形成してもよい。
３］帽子位置決め用基準部２０Ａ，５０Ａについては、１対に限らず、２対以上形成してもよい。
【００５７】
４］帽子中央基準部２０，５０、帽子位置決め用基準部２０Ａ，５０Ａについては、帽子頂部側へ突出する突出部に構成してもよい。
５］実施例３，４においては、帽子枠セットフレーム３０，３０Ａに適用可能な帽子枠については、所謂ノンフレーム型の帽子枠６０に限らず、例えば、実施例１，２のような（帽子中央基準部２０、帽子位置決め用基準部２０Ａについては省略可能）所謂フレーム型の帽子枠を適用してもよく、このフレーム型の帽子枠へ帽子を確実に位置決めして保持する作業を簡単に確実に行うことが可能となる。
６］その他、本発明の趣旨を逸脱しない範囲において種々の変更を付加して実施することが可能である。
【図面の簡単な説明】
【００５８】
【図１】本発明の実施例１に係る帽子枠の側面図である。
【図２】帽子枠の平面図である。
【図３】帽子枠の正面図である。
【図４】帽子枠と帽子枠セットフレームの平面図である。
【図５】帽子枠の要部の部分的に切欠いた平面図である。
【図６】実施例２に係る帽子枠の正面図である。
【図７】帽子枠の要部の部分的に切欠いた平面図である。
【図８】本発明の実施例３に係る帽子枠セットフレームの側面図である。
【図９】帽子枠セットフレームの平面図である。
【図１０】帽子枠セットフレームの正面図である。
【図１１】帽子枠と帽子枠セットフレームの平面図である。
【図１２】帽子枠の側面図である。
【図１３】帽子枠の平面図である。
【図１４】実施例４に係る帽子枠セットフレームの平面図である。
【符号の説明】
【００５９】
Ｃ  帽子
１，１Ａ  帽子枠
２  帽子枠本体
３  帽子支持部
４  押え部材
９  作業台
２０，５０  帽子中央基準部
２０Ａ，５０Ａ  帽子位置決め用基準部
２１，５１  切欠部
３０，３０Ａ  帽子枠セットフレーム
３１  ベースフレーム
６０  帽子枠
６１  帽子枠本体
【図１】
2005273095.tif 000003
【図２】
2005273095.tif 000004
【図３】
2005273095.tif 000005
【図４】
2005273095.tif 000006
【図５】
2005273095.tif 000007
【図６】
2005273095.tif 000008
【図７】
2005273095.tif 000009
【図８】
2005273095.tif 000010
【図９】
2005273095.tif 000011
【図１０】
2005273095.tif 000012
【図１１】
2005273095.tif 000013
【図１２】
2005273095.tif 000014
【図１３】
2005273095.tif 000015
【図１４】
2005273095.tif 000016